(57)【特許請求の範囲】
【請求項１】
内部に液体を保冷温状態で収納する真空断熱二重構造の容器本体の上部開口部に栓本体が付設され、この栓本体には、容器本体内の液体をコップ等の器に注出可能な第一注出部が設けられ、また、栓本体の頂面にして前記第一注出部と対向する位置には該頂面から突出しラッパ飲み可能な管状の第二注出部が設けられており、この第二注出部は、第一注出部が注出不能な場合には同様に注出不能となり、第一注出部が注出可能な場合には同様に注出可能となるように構成されていることを特徴とする保冷温容器。
【請求項２】
請求項１記載の保冷温容器において、前記栓本体の下部には液体を導入する導入開口部が設けられ、この導入開口部には該導入開口部を開閉する弁体が上下自在に設けられ、この弁体の開弁状態において前記第一注出部及び第二注出部は注出可能状態となり、この弁体の閉弁状態において前記第一注出部及び第二注出部は注出不能状態となるように構成されていることを特徴とする保冷本容器。
【請求項３】
請求項１記載の保冷温容器において、第二注出部と第一注出部とは、平面視１８０°対向位置に設けられていることを特徴とする保冷温容器。
【発明の詳細な説明】
【０００１】
【発明の属する技術分野】
本発明は、ジュース類等を詰入する保冷温容器に関するものである。
【０００２】
【従来の技術及び発明が解決しようとする課題】
運動大会や遠足などのレクリエーションの際、従来においては冷蔵庫で冷やした冷水や麦茶やスポーツドリンクなどの飲用物を水筒などの保冷温容器に詰入して持ち出し，飲んでいる。
【０００３】
ところで、最近の携帯用保冷温容器は、例えば、容器本体の上部開口部に付設されている栓体のボタンを操作することによって容器本体内の液体を該携帯用保冷温容器に設けられているコップ状の蓋体などに注出して飲む構造であるが、子供は携帯用保冷温容器内の液体を蓋体に注出する操作が厄介な為、当該携帯用保冷温容器をあまり使用したがらず、市販のペットボトル入りのジュース類などをそのまま冷蔵庫で冷やしてから持ち出し、運動大会などの場所において該ペットボトルの栓を開けてそのままラッパ飲みしている。
【０００４】
しかし、この場合には、当然のことながらペットボトルには保冷温作用が殆どないために、時間の経過とともに該ペットボトル内のジュース類が温くなってしまうという問題点がある。
【０００５】
本発明は、上記問題点を解決した技術を提供するものである。
【０００６】
【課題を解決するための手段】
添付図面を参照して本発明の要旨を説明する。
【０００７】
内部に液体を保冷温状態で収納する真空断熱二重構造の容器本体１の上部開口部２に栓本体４が付設され、この栓本体４には、容器本体１内の液体をコップ等の器に注出可能な第一注出部３が設けられ、また、栓本体４の頂面にして前記第一注出部３と対向する位置には該頂面から突出しラッパ飲み可能な管状の第二注出部５が設けられており、この第二注出部５は、第一注出部３が注出不能な場合には同様に注出不能となり、第一注出部３が注出可能な場合には同様に注出可能となるように構成されていることを特徴とする保冷温容器に係るものである。
【０００８】
また、請求項１記載の保冷温容器において、前記栓本体４の下部には液体を導入する導入開口部13が設けられ、この導入開口部13には該導入開口部13を開閉する弁体14が上下自在に設けられ、この弁体14の開弁状態において前記第一注出部３及び第二注出部５は注出可能状態となり、この弁体14の閉弁状態において前記第一注出部３及び第二注出部５は注出不能状態となるように構成されていることを特徴とする保冷本容器に係るものである。
【０００９】
また、請求項１記載の保冷温容器において、第二注出部５と第一注出部３とは、平面視１８０°対向位置に設けられていることを特徴とする保冷温容器に係るものである。
【００１０】
【発明の作用及び効果】
栓本体４の頂面から突出する第二注出部５に口を付けて、市販ペットボトルと同じように、ラッパ飲みすることができる。
【００１１】
また、残る第一注出部３を使用して普通の動作でコップに液体を注出することもできる。
【００１２】
また、容器本体１として保冷温性の高い真空断熱二重容器を採用したから、たとえ炎天下で長時間放置されていていても、市販ペットボトルと異なり保冷温作用によって冷やされたままの液体を飲むことができ、しかも、ラッパ飲みすることができる為、極めて簡易な操作により液体を飲むことができる。
【００１３】
本発明は上述のように構成したから、運動会場などで長時間放置しても液体が温くなったりせず、市販ペットボトルと同じようにラッパ飲みすることができ、しかも、普通の保冷温容器と同様の動作での使用もできる実用性に秀れた保冷温容器となる。
【００１４】
【発明の実施の形態】
図面は本発明の一実施例を図示したものであり、以下に説明する。
【００１５】
栓本体４は合成樹脂製で、筒状の外部10と筒状の内部11とを連設して成る二重構造であり、この外部10と内部11との間が液体通過経路12に設定され、該栓本体４の下部には該液体通過経路12に液体を導入する導入開口部13が設けられている。
【００１６】
この導入開口部13には、該導入開口部13を開閉する弁体14が上下動自在に設けられている。
【００１７】
この弁体14は、前記導入開口部13を閉塞し得る円板状の弁部15と，該弁部15の中央部から法線方向に延設された棒状の作動体16とから成る構成で、この作動体16が前記内部11に挿入配設されている。
【００１８】
また、この弁体14は、弾圧手段により常時上方へ引動付勢されている。
【００１９】
この弾圧手段は、作動体16と内部11との間にバネ等の弾性部材17が架設され、この弾性部材17が元の形状に戻ろうとする作用（復元力）により、該作動体16を引動する構成の弾圧手段が採用されている。即ち、例えば、弁体14が降下した際、内部11は降下しない為、該内部11と作動体16に架設されている弾性部材17が変形し、この弾性部材17の復元力により弁体14が常時上方へ引動付勢される。尚、本実施例では、弾性部材17を作動体16の外周に被嵌状態に設けている。
【００２０】
内部11の上部には天板部18が設けられ、該天板部18の周縁部には一端縁を除いて垂下壁19が設けられ、該垂下壁19によって前記外部10と内部11との上部開口部が隠蔽されている。従って、この垂下壁19が設けられていない部位が、液体を注出可能な第一注出部３となる。
【００２１】
垂下壁19と外部10とは、溶着により一体に接合されている。尚、この接合は、栓本体４等の掃除性を高める為のパッキンを介しての嵌合方法などの適宜な液体漏洩防止構造により行なわれている。
【００２２】
また、この天板部18の上面、即ち、栓本体４の頂面にして前記第一注出部３と１８０°対向する位置には、前記液体通過経路12と連通する第二注出部５が突出状態に設けられている。
【００２３】
また、この第二注出部５は、ラッパ飲みし易いように管状の構成が採用されている。また、より一層ラッパ飲みし易いように、上部が稍外側に傾斜する構成が採用されている。尚、この第二注出部５を任意の方向に向けることでより一層ラッパ飲みし易くなるように、該第二注出部５を可撓性を有する素材で構成しても良い。また、同様の理由から、第二注出部５に可撓性を有する素材で形成された延長管を付設しても良い。
【００２４】
また、天板部18の上面には、弁体14を降下させて容器本体１内の液体を注出可能にしたり、弁体14を上昇させて容器本体１内の液体を注出不能にしたりする操作部20が設けられている。
【００２５】
この操作部20は、天板部18の上面に沿ってスライド移動自在に設けられた板状のスライド体21と、該スライド体21の下部に突設され、天板部18に設けられたスライド孔22を経由して該天板部18の下方に突設し、下部が前記作動体16に当接する当接体23とから構成されている。
【００２６】
スライド体21の一端部には上方に突出する操作突部21ａが設けられ、また、スライド体21の他端部は、天板部18に設けられたガイド孔29に貫通状態に挿入され該ガイド孔29の端部開口部から突出する操作端部21ｂに設定されている。
【００２７】
また、この当接体23の下部は、一側に傾斜面24が設けられ、他側に前記作動体16が係止する係止部25が設けられ、傾斜面24は係止部25側が高くなる（作動体16側に突出する）ように構成されており、この傾斜面24と係止部25の連設部には乗越部26が設けられている。
【００２８】
この操作部20の作用について詳述する。
【００２９】
先ず、前記弁体14の作動体16が当接体23の傾斜面24に当接している状態が該弁体14が前記導入開口部13を閉じた状態である（図２参照）。この状態から、操作部20を操作し、操作突部21ａの押圧によりスライド体21を第一注出部３の方向へスライド移動せしめると、当接体23と作動体16との当接部位は傾斜面24側から係止部25側に移動することになり、この傾斜面24の傾斜により作動体16が徐々に押圧降下せしめられて前記導入開口部13が開放され、必然的に、第一注出部３及び第二注出部５からの液体注出が可能になる。
【００３０】
また、スライド体21のスライド移動を当接体23と作動体16との当接部位が係止部25となる位置まで行うと、該作動体16は該係止部25に係止されてスライド体21のスライド移動が不能となり、液体注出可能な状態を維持される（図３参照）。尚、この際、乗越部26の存在故に、スライド体21のスライド移動はより一層確実に防止され、液体注出可能な状態を確実に維持される。
【００３１】
一方、操作部20を操作し、操作端部21ｂを押圧してスライド体21を上記とは逆方向にスライド移動せしめると、当接体23と作動体16との当接部位は係止部25側から傾斜面24側に移動することになり、この傾斜面24の傾斜と前記作動体16に作用している上方への引動付勢とにより該作動体16が徐々に上昇し、前記導入開口部13が閉塞され、必然的に、第一注出部３及び第二注出部５からの液体注出が不能になる。
【００３２】
この状態において、作動体16には上方への引動付勢が作用している為、該引動付勢及び傾斜面24の傾斜に逆らって、当接体23と作動体16との当接部位が係止部25側となる方向にスライド体21がスライド移動したりせず、よって、第一注出部３及び第二注出部５からの液体注出が不能な状態も確実に維持される（図２参照）。
【００３３】
栓本体４（外部10）の上部外周面には容器本体１の上縁に係止する鍔部27が繞設され、この鍔部27の下方外周面には容器本体１の上部開口部２に螺着する為のネジ部28が設けられている。
【００３４】
また、容器本体１としては、保冷温作用の高いステンレス製の真空断熱二重容器が採用されている。
【００３５】
図中、符号６は、容器本体１の上部に着脱自在に設けられたコップ状の蓋体、符号30は、栓本体４と容器本体１との間に設けられ液体の漏洩を防止するパッキンである。
【００３６】
本実施例は上述のように構成したから、操作部20を操作してスライド体21をスライド移動させ、容器本体１内の液体を第一注出部３から注出できる状態にし、突出する第二注出部５に口を付け、市販のペットボトルと同様にラッパ飲みすることができる実用性に秀れた保冷温容器となる。
【００３７】
また、第二注出部５が管状であるから、より一層ラッパ飲みし易いことになる。
【００３８】
また、熱いお茶等を飲む為に従来の保冷温容器と同様の操作により蓋体６やコップ等に液体を注出することができる第一注出部３も設けられており、従来の保冷温容器と同様の作用効果も発揮することができる。
【００３９】
また、第一注出部３及び第二注出部５が操作部20の操作によって同時に注出可能になったり注出不能になったりするから、操作部20の操作によって一方のみが注出可能になったり注出不能になったりする構成に比し、ラッパ飲み操作を簡単に行えることになり、小さな子供でも簡単に操作部20を操作してラッパ飲みすることができる実用性に秀れた保冷温容器となる。
【００４０】
また、第一注出部３及び第二注出部５が注出可能か注出不能であるかをスライド体21の位置によって確知することができるより一層実用性に秀れた使い易い保冷温容器となる。
【００４１】
また、平面視１８０°対向位置に第一注出部３と第二注出部５が設けられているから、ラッパ飲みする際には第一注出部３が容器本体１内への空気導入の役割を果たし、同様に第一注出部３から液体を注出する際には第二注出部５が容器本体１内への空気導入の役割を果たすことになり、液体の注出を極めて良好に行えることになる。
【００４２】
また、第二注出部５を使用してラッパ飲みする際にも、また、第一注出部３を使用して蓋体６やコップ等に液体を注出する場合にも、他方の注出口から液体が漏洩したりせず、この点においても秀れた操作性を発揮することになる。
【００４３】
また、容器本体１として保冷温性の高い真空断熱二重容器を採用したから、たとえ炎天下で長時間放置されていていても、市販ペットボトルと異なり保冷温作用によって冷やされたままの液体を飲むことができ、しかも、ラッパ飲みすることができる為、極めて簡易な操作により液体を飲むことができる実用性に秀れた保冷温容器となる。
【図面の簡単な説明】
【図１】  本実施例の説明側断面図である。
【図２】  本実施例の要部の説明側断面図である。
【図３】  本実施例の要部の説明側断面図である。
【図４】  本実施例の要部の説明平面図である。
【符号の説明】
１  容器本体
２  上部開口部
３  第一注出部
４  栓本体
５  第二注出部
13 導入開口部
14 弁体
【図１】
0003696467.tif 000002
【図２】
0003696467.tif 000003
【図３】
0003696467.tif 000004
【図４】
0003696467.tif 000005